(57)【特許請求の範囲】
【請求項１】
アクセス端末であって、
通信インターフェースと、
記憶媒体と、
前記通信インターフェースと前記記憶媒体とに結合された処理回路であって、前記処理回路は、
登録サーバが、前記アクセス端末に関連する識別情報（ＩＤ）を使用して前記アクセス端末のためにタイマーベースの登録を実行することを可能にするために、前記通信インターフェースを介して前記登録サーバと通信することと、
前記登録サーバが前記アクセス端末のためにタイマーベースの登録を実行する間、前記タイマーベースの登録を実行するのを停止することと、
イベントデータが送信または受信のために利用可能になるまでパワーダウンすることと
を行うように適応された、処理回路と
を備える、アクセス端末。
【請求項２】
前記記憶媒体が、前記アクセス端末に関連する前記識別情報（ＩＤ）を含む、請求項１に記載のアクセス端末。
【請求項３】
前記処理回路が、前記アクセス端末のために前記タイマーベースの登録を実行することを前記登録サーバに要求する送信を前記登録サーバに送るようにさらに適応された、請求項１に記載のアクセス端末。
【請求項４】
前記処理回路が、前記登録サーバが前記アクセス端末のために前記タイマーベースの登録を実行することを可能にすることを前記アクセス端末に要求する送信を前記登録サーバから受信するようにさらに適応された、請求項１に記載のアクセス端末。
【請求項５】
前記処理回路が、前記通信インターフェースを介して前記登録サーバに、前記アクセス端末に関連する前記識別情報（ＩＤ）を送るようにさらに適応された、請求項１に記載のアクセス端末。
【請求項６】
前記アクセス端末に関連する前記識別情報（ＩＤ）が、前記アクセス端末においてプロビジョニングされる国際モバイル加入者識別情報（ＩＭＳＩ）または前記アクセス端末のための一時的モバイル加入者識別情報（ＴＭＳＩ）を備える、請求項１に記載のアクセス端末。
【請求項７】
アクセス端末上で動作可能な方法であって、
登録サーバが、前記アクセス端末に関連する識別情報（ＩＤ）を使用して前記アクセス端末のためにタイマーベースの登録を実行することを可能にするために、前記登録サーバと通信することと、
前記登録サーバが前記アクセス端末のためにタイマーベースの登録を実行している間、前記タイマーベースの登録を行うのを中止することと、
イベントデータが送信または受信のために利用可能になるまでパワーダウンすることとを備える方法。
【請求項８】
前記登録サーバと通信することが、
前記アクセス端末のために前記タイマーベースの登録を実行することを前記登録サーバに要求する送信を前記登録サーバに送ること
を備える、請求項７に記載の方法。
【請求項９】
前記登録サーバと通信することは、
前記登録サーバが前記アクセス端末のために前記タイマーベースの登録を実行することを可能にすることを前記アクセス端末に要求する送信を前記登録サーバから受信することを備える、請求項７に記載の方法。
【請求項１０】
前記登録サーバと通信することが、
前記アクセス端末に関連する前記識別情報（ＩＤ）を前記登録サーバに送ることを備える、請求項７に記載の方法。
【請求項１１】
前記登録サーバと通信することが、
前記アクセス端末に関連する前記識別情報（ＩＤ）を前記登録サーバに送ることなしに前記登録サーバと通信すること
を備える、請求項７に記載の方法。
【請求項１２】
前記登録サーバと通信することが、ネットワークエンティティとして実装された登録サーバと通信することを備える、請求項７に記載の方法。
【請求項１３】
前記登録サーバが、前記アクセス端末に関連する前記識別情報（ＩＤ）を使用して前記アクセス端末のために前記タイマーベースの登録を実行することを可能にするために、前記登録サーバと通信することは、
前記登録サーバが、前記アクセス端末に関連する国際モバイル加入者識別情報（ＩＭＳＩ）または一時的モバイル加入者識別情報（ＴＭＳＩ）を使用して前記アクセス端末のために前記タイマーベースの登録を実行することを可能にするために、前記登録サーバと通信すること
を備える、請求項７に記載の方法。
【請求項１４】
アクセス端末であって、
登録サーバが、前記アクセス端末に関連する識別情報（ＩＤ）を使用して前記アクセス端末のためにタイマーベースの登録を実行することを可能にするために、前記登録サーバと通信するための手段と、
前記登録サーバが前記アクセス端末のために前記タイマーベースの登録を実行している間、前記タイマーベースの登録を行うのを中止するための手段と、
イベントデータが送信または受信のために利用可能になるまでパワーダウンするための手段と
を備えるアクセス端末。
【請求項１５】
アクセス端末上で動作可能なプログラムを記憶するプロセッサ可読記憶媒体であって、前記プログラムは、
登録サーバが、前記アクセス端末に関連する識別情報（ＩＤ）を使用して前記アクセス端末のためにタイマーベースの登録を実行することを可能にするために、前記登録サーバと通信することと、
前記登録サーバが前記アクセス端末のために前記タイマーベースの登録を実行している間、前記タイマーベースの登録を行うのを中止することと、
イベントデータが送信または受信のために利用可能になるまでパワーダウンすることとをプロセッサに行わせる、プロセッサ可読記憶媒体。
【請求項１６】
登録サーバであって、
通信インターフェースと、
記憶媒体と、
前記通信インターフェースと前記記憶媒体とに結合された処理回路であって、前記処理回路は、
前記登録サーバがアクセス端末のためにタイマーベースの登録を実行することを可能にするために、前記通信インターフェースを介して前記アクセス端末と通信することと、
前記アクセス端末に関連する識別情報（ＩＤ）を使用して前記アクセス端末のために前記タイマーベースの登録を行うためにネットワークエンティティと周期的に通信することであって、前記タイマーベースの登録が前記アクセス端末によるアクティブな参加なしに行われる、通信することと
を行うように適応された、処理回路と
を備える登録サーバ。
【請求項１７】
前記通信インターフェースが、直接通信リンクを通して前記ネットワークエンティティと通信するように適応された、請求項１６に記載の登録サーバ。
【請求項１８】
前記通信インターフェースが、ワイヤード通信リンクを通して前記ネットワークエンティティと通信するように適応された、請求項１６に記載の登録サーバ。
【請求項１９】
前記処理回路が、
前記アクセス端末に関連する前記ＩＤを前記ネットワークエンティティから取得することと、
前記アクセス端末に関連する前記ＩＤを前記記憶媒体に記憶することと
を行うようにさらに適応された、請求項１６に記載の登録サーバ。
【請求項２０】
前記処理回路は、前記アクセス端末に関連する前記ＩＤを前記アクセス端末から受信することなしに、前記登録サーバが前記アクセス端末のために前記タイマーベースの登録を実行することを可能にするために、前記アクセス端末と通信するように適応された、請求項１６に記載の登録サーバ。
【請求項２１】
前記ネットワークエンティティを含むネットワーク中の別のエンティティとして実装された、請求項１６に記載の登録サーバ。
【請求項２２】
登録サーバ上で動作可能な方法であって、
前記登録サーバがアクセス端末のためにタイマーベースの登録を実行することを可能にするために、前記アクセス端末と通信することと、
前記アクセス端末に関連する識別情報（ＩＤ）を使用して前記アクセス端末のために前記タイマーベースの登録を行うためにネットワークエンティティと周期的に通信することであって、前記タイマーベースの登録が前記アクセス端末によるアクティブな参加なしに行われる、通信することと
を備える方法。
【請求項２３】
前記アクセス端末と通信することが、
前記アクセス端末のために前記タイマーベースの登録を実行することを前記登録サーバに要求する送信を前記アクセス端末から受信すること
を備える、請求項２２に記載の方法。
【請求項２４】
前記アクセス端末と通信することは、
前記登録サーバが前記アクセス端末のために前記タイマーベースの登録を実行することを可能にすることを前記アクセス端末に要求する送信を前記アクセス端末に送ることを備える、請求項２２に記載の方法。
【請求項２５】
前記登録サーバが前記アクセス端末のために前記タイマーベースの登録を実行することを可能にするために、前記アクセス端末と通信することが、
前記アクセス端末に関連する前記ＩＤを前記アクセス端末から受信することなしに前記アクセス端末と通信すること
を備える、請求項２２に記載の方法。
【請求項２６】
前記アクセス端末に関連する前記ＩＤを前記ネットワークエンティティから取得すること
をさらに備える、請求項２２に記載の方法。
【請求項２７】
前記アクセス端末のために前記タイマーベースの登録を行うためにネットワークエンティティと周期的に通信することが、
前記アクセス端末のために前記タイマーベースの登録を行うためにモバイル交換センターおよびビジターロケーションレジスタ（ＭＳＣ／ＶＬＲ）と周期的に通信することを備える、請求項２２に記載の方法。
【請求項２８】
前記アクセス端末のために前記タイマーベースの登録を行うためにネットワークエンティティと周期的に通信することが、
前記アクセス端末のために前記ネットワークエンティティにタイマーベースの登録メッセージを周期的に送ることを備える、
請求項２２に記載の方法。
【請求項２９】
登録サーバであって、
前記登録サーバがアクセス端末のためにタイマーベースの登録を実行することを可能にするために、前記アクセス端末と通信するための手段と、
前記アクセス端末に関連する識別情報（ＩＤ）を使用して前記アクセス端末のために前記タイマーベースの登録を行うためにネットワークエンティティと周期的に通信するための手段であって、前記タイマーベースの登録が前記アクセス端末によるアクティブな参加なしに行われる、通信するための手段と
を備える登録サーバ。
【請求項３０】
前記アクセス端末に関連する前記ＩＤを前記ネットワークエンティティから取得するための手段
をさらに備える、請求項２９に記載の登録サーバ。
【請求項３１】
登録サーバ上で動作可能なプログラムを記憶するプロセッサ可読記憶媒体であって、前記プログラムは、
前記登録サーバがアクセス端末のためにタイマーベースの登録を実行することを可能にするために、前記アクセス端末と通信することと、
前記アクセス端末に関連する識別情報（ＩＤ）を使用して前記アクセス端末のために前記タイマーベースの登録を行うためにネットワークエンティティと周期的に通信することであって、前記タイマーベースの登録が前記アクセス端末によるアクティブな参加なしに行われる、通信することと
をプロセッサに行わせる、プロセッサ可読記憶媒体。
【請求項３２】
通信インターフェースと、
記憶媒体と、
前記通信インターフェースと前記記憶媒体とに結合された処理回路であって、前記処理回路は、
登録サーバからタイマーベースの登録メッセージを受信することであって、前記タイマーベースの登録メッセージが、前記登録サーバにおいて生じ、タイマーベースの登録を行うのを中止したアクセス端末を登録するために適応された、受信することと、
前記登録サーバから受信された前記タイマーベースの登録メッセージに基づいて前記アクセス端末を登録することと、
タイマーベースの登録を行っているさらなるアクセス端末から、前記さらなるアクセス端末において生じ、前記登録サーバから独立して受信されるさらなるタイマーベースの登録メッセージを受信することと
を行うように適応された、処理回路と
を備える、ネットワークエンティティ。
【請求項３３】
前記タイマーベースの登録メッセージが、別のネットワークエンティティとして実装された登録サーバから受信される、請求項３２に記載のネットワークエンティティ。
【請求項３４】
前記処理回路が、
前記アクセス端末に関連する識別情報（ＩＤ）を前記登録サーバに与えるようにさらに適応された、請求項３２に記載のネットワークエンティティ。
【請求項３５】
登録サーバからタイマーベースの登録メッセージを受信することであって、前記タイマーベースの登録メッセージが、前記登録サーバにおいて生じ、タイマーベースの登録を実行するのを停止したアクセス端末を登録するために適応された、受信することと、
前記登録サーバから受信された前記タイマーベースの登録メッセージに基づいて前記アクセス端末を登録することと、
タイマーベースの登録を実行しているさらなるアクセス端末から、前記さらなるアクセス端末において生じ、前記登録サーバから独立して受信されるさらなるタイマーベースの登録メッセージを受信することと
を備える、ネットワークエンティティ上で動作可能な方法。
【請求項３６】
前記登録サーバから前記タイマーベースの登録メッセージを受信することが、
別のネットワークエンティティから前記タイマーベースの登録メッセージを受信すること
を備える、請求項３５に記載の方法。
【請求項３７】
前記アクセス端末に関連する識別情報（ＩＤ）を前記登録サーバに与えることをさらに備える、請求項３５に記載の方法。
【請求項３８】
登録サーバからタイマーベースの登録メッセージを受信するための手段であって、前記タイマーベースの登録メッセージが、前記登録サーバにおいて生じ、タイマーベースの登録を実行するのを停止したアクセス端末を登録するために適応された、受信するための手段と、
前記登録サーバから受信された前記タイマーベースの登録メッセージに基づいて前記アクセス端末を登録するための手段と、
タイマーベースの登録を実行しているさらなるアクセス端末から、前記さらなるアクセス端末において生じ、前記登録サーバから独立して受信されるさらなるタイマーベースの登録メッセージを受信するための手段と
を備える、ネットワークエンティティ。
【請求項３９】
ネットワークエンティティ上で動作可能なプログラムを記憶するプロセッサ可読記憶媒体であって、
登録サーバからタイマーベースの登録メッセージを受信することであって、前記タイマーベースの登録メッセージが、前記登録サーバにおいて生じ、タイマーベースの登録を実行するのを停止したアクセス端末を登録するために適応された、受信することと、
前記登録サーバから受信された前記タイマーベースの登録メッセージに基づいて前記アクセス端末を登録することと、
タイマーベースの登録を実行しているさらなるアクセス端末から、前記さらなるアクセス端末において生じ、前記登録サーバから独立して受信されるさらなるタイマーベースの登録メッセージを受信することと
をプロセッサに行わせる、プロセッサ可読記憶媒体。
【請求項４０】
ワイヤレス通信のための装置であって、
登録サーバが、識別情報（ＩＤ）を使用してアクセス端末のためにタイマーベースの登録を実行することを可能にするために、前記登録サーバと通信するように構成されたプロセッサであって、
前記プロセッサは、前記登録サーバが前記アクセス端末のためにタイマーベースの登録を実行する間、前記タイマーベースの登録を実行するのを停止することと、
イベントデータが送信または受信のために利用可能になるまでパワーダウンすることとを行うようにさらに構成された、
プロセッサと、
データを収集および／または分析するように構成された前記プロセッサに結合されたセンサーまたはコントローラのうちの少なくとも１つと
を備える、
装置。
【発明の詳細な説明】
【技術分野】
【０００１】
本特許出願は、本出願の譲受人に譲渡され、以下に完全に記載されるかのように、すべての適用可能な目的のために参照により本明細書に明確に組み込まれる、２０１１年１１月２日に出願された「METHODS AND DEVICES FOR FACILITATING ACCESS TERMINAL REGISTRATION USING A REGISTRATION SERVER」と題する仮出願第６１／５５４，８３５号の優先権を主張する。
【０００２】
本発明の実施形態は、一般にワイヤレス通信に関し、より詳細には、登録サーバへのアクセス端末登録を可能にするための方法およびデバイスに関する。
【背景技術】
【０００３】
ワイヤレス通信システムは、音声、ビデオ、パケットデータ、メッセージング、ブロードキャストなど、様々なタイプの通信コンテンツを提供するために広く展開されている。これらのシステムは、ワイヤレス通信を可能にするように適応された様々なタイプのデバイスによってアクセスされ得、複数のデバイスが、利用可能なシステムリソース（たとえば、時間、周波数、および電力）を共有する。そのようなワイヤレス通信システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００４】
様々なデバイスが、そのようなワイヤレス通信システムを利用するように適応される。そのようなデバイスは概してアクセス端末と呼ばれることがある。いくつかのアクセス端末は、（マシンタイプ通信（machine-type communication）またはＭＴＣとも呼ばれることがある）マシンツーマシン（Ｍ２Ｍ：machine-to-machine）通信のために適応されたアクセス端末など、固定、または少なくとも実質的に固定であり得る。Ｍ２Ｍ適応アクセス端末は、少なくとも実質的にユーザ対話なしに動作するように適応されたアクセス端末を含み得る。そのようなＭ２Ｍ適応アクセス端末は、バッテリーなど、限られた電力ソース上で動作し得る。したがって、電力を節約し、そのような電源の寿命を向上させるための特徴が望ましくなり得る。
【発明の概要】
【０００５】
本開示の様々な例および実装形態は、１つまたは複数のアクセス端末のために登録を実行する、登録サーバへのアクセス端末登録を可能にする。本開示の少なくとも１つの態様によれば、アクセス端末のために登録を実行するための登録サーバを使用するように適応されたアクセス端末が提供される。そのようなアクセス端末の１つまたは複数の例としては、処理回路に結合された通信インターフェースおよび記憶媒体があり得る。処理回路は、登録サーバが、アクセス端末に関連する識別情報（ＩＤ）を使用してアクセス端末のためにタイマーベースの登録を実行することを可能にするために、通信インターフェースを介して登録サーバと通信するように適応され得る。処理回路は、登録サーバがアクセス端末のためにタイマーベースの登録を実行する間、タイマーベースの登録を実行するのを停止し得、イベントデータが送信または受信のために利用可能になるまでパワーダウンし得る。
【０００６】
さらなる態様は、アクセス端末上で動作可能な方法および／またはそのような方法を実行するための手段を含むアクセス端末を提供する。そのような方法の１つまたは複数の例としては、登録サーバが、アクセス端末のＩＤを使用してアクセス端末のためにタイマーベースの登録を実行することを可能にするために、登録サーバと通信することがあり得る。登録サーバがアクセス端末のためにタイマーベースの登録を実行している間、タイマーベースの登録を行うことは停止される。アクセス端末は、イベントデータが送信または受信のために利用可能になるまでパワーダウンし得る。
【０００７】
またさらなる態様は、アクセス端末上で動作可能な命令を備えるプロセッサ可読媒体を含む。１つまたは複数の例によれば、そのような命令は、登録サーバが、アクセス端末に関連する識別情報（ＩＤ）を使用してアクセス端末のためにタイマーベースの登録を実行することを可能にするために、登録サーバと通信することをプロセッサに行わせ得る。命令はさらに、登録サーバがアクセス端末のためにタイマーベースの登録を実行する間、タイマーベースの登録を行うのを中止することをプロセッサに行わせ得る。命令はまた、イベントデータが送信または受信のために利用可能になるまでパワーダウンすることをプロセッサに行わせ得る。
【０００８】
本開示の１つまたは複数の追加の態様は、１つまたは複数のアクセス端末のためにタイマーベースの登録を実行するように適応された登録サーバを提供する。少なくとも１つの例によれば、登録サーバは、処理回路に結合された通信インターフェースおよび記憶媒体を含み得る。処理回路は、登録サーバがアクセス端末のためにタイマーベースの登録を実行することを可能にするために、通信インターフェースを介してアクセス端末と通信するように適応され得る。処理回路はさらに、アクセス端末に関連する識別情報（ＩＤ）を使用してアクセス端末のためにタイマーベースの登録を行うためにネットワークエンティティと周期的に通信するように適応され得る。
【０００９】
追加の態様は、登録サーバ上で動作可能な方法および／またはそのような方法を実行するための手段を含む登録サーバを提供する。少なくとも１つの例によれば、そのような方法は、登録サーバがアクセス端末のためにタイマーベースの登録を実行することを可能にするために、アクセス端末と通信することを含み得る。アクセス端末に関連する識別情報（ＩＤ）を使用してアクセス端末のためにタイマーベースの登録を行うためにネットワークエンティティとの通信が周期的に使用され得る。
【００１０】
またさらなる態様は、登録サーバ上で動作可能な命令を備えるプロセッサ可読媒体を含む。１つまたは複数の例によれば、そのような命令は、登録サーバがアクセス端末のためにタイマーベースの登録を実行することを可能にするために、アクセス端末と通信することをプロセッサに行わせ得る。命令はさらに、アクセス端末に関連する識別情報（ＩＤ）を使用してアクセス端末のためにタイマーベースの登録を行うためにネットワークエンティティと周期的に通信することをプロセッサに行わせ得る。
【００１１】
本開示の少なくとも１つの追加の態様は、登録サーバからの通信に応答して、１つまたは複数のアクセス端末のためにタイマーベースの登録を実行するように適応されたネットワークエンティティを提供する。１つまたは複数の例では、ネットワークエンティティは、処理回路に結合された通信インターフェースおよび記憶媒体を含み得る。処理回路は、登録サーバからタイマーベースの登録メッセージを受信することであって、タイマーベースの登録メッセージが、アクセス端末を登録するために適応された、受信することを行うように適応され得る。処理回路はさらに、登録サーバから受信されたタイマーベースの登録メッセージに基づいてアクセス端末を登録するように適応され得る。
【００１２】
さらなる態様は、ネットワークエンティティ上で動作可能な方法および／またはそのような方法を実行するための手段を含むネットワークエンティティを提供する。少なくとも１つの例によれば、そのような方法は、登録サーバからタイマーベースの登録メッセージを受信することであって、タイマーベースの登録メッセージが、アクセス端末を登録するために適応された、受信することを含み得る。アクセス端末は、登録サーバから受信されたタイマーベースの登録メッセージに基づいて登録され得る。
【００１３】
追加の態様は、ネットワークエンティティ上で動作可能な命令を備えるプロセッサ可読媒体を含む。１つまたは複数の例によれば、そのような命令は、登録サーバからタイマーベースの登録メッセージを受信することであって、タイマーベースの登録メッセージが、アクセス端末を登録するために適応された、受信することと、受信されたタイマーベースの登録メッセージに基づいてアクセス端末を登録することとをプロセッサに行わせ得る。
【００１４】
本発明の特定の例示的な実施形態の以下の説明を添付の図と併せて検討すれば、当業者には、本発明の他の態様、特徴、および実施形態が明らかになろう。本発明の特徴が、以下のいくつかの実施形態および図に関連して説明され得るが、本発明のすべての実施形態は、本明細書で説明する有利な特徴のうちの１つまたは複数を含むことができる。言い換えれば、１つまたは複数の実施形態が、いくつかの有利な特徴を有するものとして説明され得るが、そのような特徴のうちの１つまたは複数は、本明細書で説明する本発明の様々な実施形態に従っても使用され得る。同様に、例示的な実施形態が、以下ではデバイス、システム、または方法の実施形態として説明され得るが、そのような例示的な実施形態は、様々なデバイス、システム、および方法で実装され得ることを理解されたい。
【図面の簡単な説明】
【００１５】
【図１】本発明のいくつかの実施形態によるワイヤレス通信システムの一例を示すブロック図。
【図２】本発明の少なくとも１つの例示的な実施形態による、図１に示したワイヤレス通信システムの選択構成要素を示すブロック図。
【図３】本発明のいくつかの実施形態による、アクセス端末のために動作している登録サーバへのタイマーベースの登録を可能にする例を示す流れ図。
【図４】本発明の少なくとも１つの例による処理システムの選択構成要素を示すブロック図。
【図５】本発明の少なくとも１つの例によるアクセス端末として実装された処理システムの選択構成要素を示すブロック図。
【図６】本発明の少なくとも１つの例によるアクセス端末上で動作可能な方法を示す流れ図。
【図７】本発明の少なくとも１つの例による登録サーバとして実装された処理システムの選択構成要素を示すブロック図。
【図８】本発明の少なくとも１つの例による登録サーバ上で動作可能な方法を示す流れ図。
【図９】本発明の少なくとも１つの例によるネットワークエンティティとして実装された処理システムの選択構成要素を示すブロック図。
【図１０】本発明の少なくとも１つの例によるネットワークエンティティ上で動作可能な方法を示す流れ図。
【発明を実施するための形態】
【００１６】
添付の図面に関して以下に示す説明は、様々な構成を説明するものであり、本明細書で説明する概念および特徴が実施され得る唯一の構成を表すものではない。以下の説明は、様々な概念の完全な理解を与えるための具体的な詳細を含む。ただし、これらの概念はこれらの具体的な詳細なしに実施され得ることが当業者には明らかであろう。いくつかの例では、説明する概念および特徴を不明瞭にしないように、よく知られている回路、構造、技法、および構成要素をブロック図の形式で示す。
【００１７】
「例示的」という単語は、本明細書では「例、事例、または例示として働くこと」を意味するために使用され得る。「例示的」として本明細書で説明するいかなる実装形態または実施形態も、必ずしも他の実施形態または実装形態よりも好ましいまたは有利であると解釈されるべきではない。同様に、「実施形態」という用語は、すべての実施形態が、説明する特徴、利点、または動作モードを含むことを必要としない。本明細書で使用する「基地局」および「アクセス端末」という用語は、広く解釈されるものとする。たとえば、「基地局」は、（１つまたは複数のアクセス端末のために）通信またはデータネットワークへのワイヤレス接続性を可能にするデバイスを指すことがある。そのような「基地局」は、当業者によって、アクセスポイント、トランシーバ基地局（ＢＴＳ）、無線基地局、無線トランシーバ、トランシーバ機能、基本サービスセット（ＢＳＳ）、拡張サービスセット（ＥＳＳ）、ノードＢ、フェムトセル、ピコセル、アクセスポイント、または何らかの他の好適な用語で呼ばれることもある。
【００１８】
さらに、「アクセス端末」は、概して、ワイヤレス信号を介して１つまたは複数の他のデバイスと通信する１つまたは複数のデバイスを指す。そのようなアクセス端末は、当業者によって、ユーザ機器（ＵＥ）、移動局（ＭＳ）、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末（ＡＴ）、モバイル端末、ワイヤレス端末、リモート端末、ハンドセット、端末、ユーザエージェント、モバイルクライアント、クライアント、または何らかの他の好適な用語で呼ばれることもある。アクセス端末は、モバイル端末および／または少なくとも実質的に固定された端末を含み得る。アクセス端末の例としては、モバイルフォン、ページャ、ワイヤレスモデム、携帯情報端末、個人情報マネージャ（ＰＩＭ）、パーソナルメディアプレーヤ、パームトップコンピュータ、ラップトップコンピュータ、タブレットコンピュータ、テレビジョン、アプライアンス、電子リーダー、デジタルビデオレコーダ（ＤＶＲ）、マシンツーマシン（Ｍ２Ｍ）対応デバイス、および／または少なくとも部分的にワイヤレスもしくはセルラーネットワークを介して通信する他の通信／コンピューティングデバイスがある。
【００１９】
本開示のいくつかの態様は、ＣＤＭＡならびに第３世代パートナーシッププロジェクト２（３ＧＰＰ２）１ｘプロトコルおよびシステムについて以下で説明し、関連する用語は以下の説明の大部分で見つけられ得る。ただし、当業者であれば、本開示の１つまたは複数の態様が、１つまたは複数の他のワイヤレス通信プロトコルおよびシステムにおいて採用され、含まれ得ることを認識されよう。
【００２０】
図１は、ワイヤレス通信システム１００の一例を示すブロック図である。システム１００は、１つまたは複数のアクセス端末１０４とワイヤレス通信するように適応された基地局１０２を含む。システム１００は、複数のキャリア（異なる周波数の波形信号）上での動作をサポートし得る。マルチキャリア送信機は、複数のキャリア上で同時に被変調信号を送信することができる。各被変調信号は、ＣＤＭＡ信号、ＴＤＭＡ信号、ＯＦＤＭＡ信号、シングルキャリア周波数分割多元接続（ＳＣ−ＦＤＭＡ）信号などであり得る。各被変調信号は、異なるキャリア上で送られ得、制御情報（たとえば、パイロット信号）、オーバーヘッド情報、データなどを搬送し得る。
【００２１】
基地局１０２は、基地局アンテナを介してアクセス端末１０４とワイヤレス通信し得る。基地局１０２は、複数のキャリアを介して基地局コントローラ（図２参照）の制御下でアクセス端末１０４と通信するように構成される。基地局１０２のサイトの各々は、それぞれの地理的エリアに通信カバレージを与えることができる。ここでは、各基地局１０２のカバレージエリア１１０はセル１１０ａ、１１０ｂ、または１１０ｃとして識別される。基地局１０２のカバレージエリア１１０は、（図示しないが、カバレージエリアの一部のみを構成する）セクタに分割され得る。システム１００は、異なるタイプの基地局１０２（たとえば、マクロ基地局、マイクロ基地局、および／またはピコ基地局）を含み得る。
【００２２】
アクセス端末１０４はカバレージエリア１１０全体にわたって分散され得る。各アクセス端末１０４は１つまたは複数の基地局１０２と通信し得る。図２は、少なくとも１つの例によるワイヤレス通信システム１００の選択構成要素を示すブロック図である。図示のように、基地局１０２は無線アクセスネットワーク（ＲＡＮ：radio access network）２０２の少なくとも一部として含まれる。無線アクセスネットワーク（ＲＡＮ）２０２は、概して、１つまたは複数のアクセス端末１０４と、コアネットワーク２０４中に含まれるネットワークエンティティなど、１つまたは複数の他のネットワークエンティティとの間のトラフィックおよびシグナリングを管理するように適応される。無線アクセスネットワーク２０２は、当業者によって、基地局サブシステム（ＢＳＳ）、アクセスネットワーク、ＵＭＴＳ地上波無線アクセスネットワーク（ＵＴＲＡＮ）などと呼ばれることもある。
【００２３】
１つまたは複数の基地局１０２に加えて、無線アクセスネットワーク２０２は、当業者によって無線ネットワークコントローラ（ＲＮＣ）と呼ばれることもある基地局コントローラ（ＢＳＣ）２０６を含むことができる。基地局コントローラ２０６は、概して、基地局コントローラ２０６に接続された１つまたは複数の基地局１０２に関連する１つまたは複数のカバレージエリア内のワイヤレス接続の確立、解放、および維持を担当する。基地局コントローラ２０６は、コアネットワーク２０４の１つまたは複数のノードまたはエンティティに通信可能に結合され得る。
【００２４】
コアネットワーク２０４は、無線アクセスネットワーク２０２を介して接続されたアクセス端末１０４に様々なサービスを提供するワイヤレス通信システム１００の一部分である。コアネットワーク２０４は回線交換（ＣＳ：circuit-switched）ドメインとパケット交換（ＰＳ：packet-switched）ドメインとを含み得る。回線交換エンティティのいくつかの例としては、ＭＳＣ／ＶＬＲ２０８として識別される、モバイル交換センター（ＭＳＣ：mobile switching center）およびビジターロケーションレジスタ（ＶＬＲ：visitor location register）、ならびにゲートウェイＭＳＣ（ＧＭＳＣ）２１０がある。パケット交換要素のいくつかの例としては、サービングＧＰＲＳサポートノード（ＳＧＳＮ）２１２およびゲートウェイＧＰＲＳサポートノード（ＧＧＳＮ）２１４がある。ＥＩＲ、ＨＬＲ、ＶＬＲおよびＡｕＣなど、他のネットワークエンティティが含まれ得、それらの一部または全部は回線交換ドメインとパケット交換ドメインの両方によって共有され得る。アクセス端末１０４は、回線交換ドメインを介して公衆交換電話網（ＰＳＴＮ）２１６へのアクセスを取得し、パケット交換ドメインを介してＩＰネットワーク２１８へのアクセスを取得することができる。
【００２５】
アクセス端末１０４がワイヤレス通信システム１００内で動作するとき、アクセス端末１０４はシステム１００への様々な登録を実行する。たとえば、アクセス端末１０４が初めに電源投入され、システム１００に接続したとき、パワーアップ登録が実行され得る。アクセス端末１０４が初めにシステム１００に接続され、認証プロシージャを完了した後、アクセス端末１０４は、システム１００への周期的なタイマーベースの登録を実行し得る。パワーアップ登録および認証プロシージャとは異なる、タイマーベースの登録は、一般に、アクセス端末１０４がまだＭＳＣ／ＶＬＲ２０８に関連するネットワーク内に存在することをＭＳＣ／ＶＬＲ２０８に示すワイヤレス送信を、アクセス端末１０４から無線アクセスネットワーク２０２を介してＭＳＣ／ＶＬＲ２０８に送ることによって行われる。
【００２６】
タイマーベースの登録は、しばしば、システム１００によって示される登録期間中に実行される。たとえば、特定の基地局１０２のカバレージエリア内にある各アクセス端末１０４がその時間中にネットワークに登録することができる登録期間が、基地局１０２を介してブロードキャストされ得る。アクセス端末１０４が周期的スケジュールに従ってネットワークに登録することができない場合、ネットワークはそれのデータベースからアクセス端末１０４を削除し、ネットワークは、もはやアクセス端末１０４をネットワーク内にアクティブに位置するものと見なさなくなる。アクセス端末１０４がワイヤレスネットワーク上でアクティブでない（たとえば、トラフィックチャネルセットアップ、または他の形態の登録がない）とき、アイドルアクセス端末１０４は各登録期間中に登録を実行する。一般に、登録期間は、システム１００が様々なアクセス端末１０４のロケーションを追跡し、ページ障害を回避するために、比較的短い間隔（たとえば、１５分間と１時間との間）であり得る。
【００２７】
いくつかの事例では、アクセス端末１０４のうちの１つまたは複数が固定または実質的に固定であり得、したがって、ページを送信するためのロケーションは変化するとしてもごくまれであるので、これらのアクセス端末１０４のロケーションを追跡するためのタイマーベースの登録はそれほど役に立たない。そのような固定または実質的に固定のアクセス端末１０４の一例としては、マシンツーマシン（Ｍ２Ｍ）対応アクセス端末１０４がある。Ｍ２Ｍ対応アクセス端末１０４は、少なくとも実質的にユーザ対話なしに、ワイヤレス通信システム１００を介して１つまたは複数のデバイスとワイヤレス通信するように適応される。Ｍ２Ｍアクセス端末１０４は、イベントを収集するように適応された通信デバイス（たとえば、温度を収集するセンサー、インベントリレベルを収集するメーターなど）を備え得、そのイベントはワイヤレス通信システム１００を通してアプリケーション（たとえば、ソフトウェアプログラム）に中継され、そのアプリケーションにおいて、イベントデータは有意味な情報（たとえば、低下／上昇される必要がある温度、補充される必要がある項目など）に変換され得る。いくつかの実施形態では、アクセス端末は、コントローラ／アクチュエータに結合されたセンサーを含み得る。コントローラ／アクチュエータは、データおよび／または命令（たとえば、ネットワークまたは制御データ）を受信し、ある行為（たとえば、スプリンクラ、温度変更デバイス、またはアラーム条件をアクティブにすること）を実装するように構成され得る。
【００２８】
Ｍ２Ｍ対応アクセス端末１０４は、比較的低い頻度でデータを送信／受信するように適応され得る。たとえば、Ｍ２Ｍ対応アクセス端末１０４は、数時間おきから１か月に１回まで、またはそれ以上に、データを任意の場所で送信／受信するように適応され得る。そのような場合、上記で説明したタイマーベースの登録期間は、Ｍ２Ｍ対応アクセス端末１０４ではわずらわしくなり得る。すなわち、従来のタイマーベースの登録期間は比較的短くなり得る（たとえば、１５〜６０分おき程度であるが、場合によっては頻度がより低くまたはより高くなり得る）ので、Ｍ２Ｍアクセス端末などのアクセス端末は、各登録期間中に登録するためにかなりのバッテリー電力を消費し得る。
【００２９】
本開示の少なくとも１つの態様によれば、ワイヤレス通信システム１００は、１つまたは複数のアクセス端末１０４のためにタイマーベースの登録を実行するように適応された登録サーバをさらに含む。図２に示すように、そのような登録サーバはマシンツーマシン（Ｍ２Ｍ）サーバ２２０として採用され得る。本開示では登録サーバをＭ２Ｍサーバと呼ぶが、本明細書で説明するＭ２Ｍサーバが登録サーバの唯一の実装形態ではないことを理解されたい。したがって、本開示における「Ｍ２Ｍサーバ」という用語の使用は、概して、１つまたは複数のアクセス端末のためにタイマーベースの登録を実行するように適応された任意の登録サーバを指すものと理解されたい。
【００３０】
Ｍ２Ｍサーバ２２０は、概して、１つまたは複数のアクセス端末１０４および１つまたは複数のネットワークエンティティと通信するように適応され得る。Ｍ２Ｍサーバ２２０は、直接リンク（ワイヤードおよび／またはワイヤレス）を通しておよび／または通信ネットワークによる中継リンク（ワイヤードおよび／またはワイヤレス）を通してアクセス端末１０４および／またはネットワークエンティティと通信し得る。図２に示す例では、Ｍ２Ｍサーバ２２０は、基地局コントローラ２０６およびＭＳＣ／ＶＬＲ２０８に通信可能に結合される。この例によれば、Ｍ２Ｍサーバ２２０は、中継リンク（たとえば、アクセス端末１０４と基地局１０２との間のワイヤレスリンク、基地局１０２と基地局コントローラ２０６との間のワイヤードリンク、および基地局コントローラ２０６とＭ２Ｍサーバ２２０との間のワイヤードリンク）を通してアクセス端末１０４と通信することができる。さらに、図示された例では、Ｍ２Ｍサーバ２２０は、直接リンク（たとえば、Ｍ２Ｍサーバ２２０とＭＳＣ／ＶＬＲ２０８との間の、ＩＰネットワークリンクなどのワイヤードリンク）を通してＭＳＣ／ＶＬＲ２０８と通信することができる。Ｍ２Ｍサーバ２２０は、少なくともいくつかの例ではコアネットワーク２０４に組み込まれ得るネットワークエンティティとしてシステム１００中に含まれ得る。すなわち、Ｍ２Ｍサーバ２２０は、コアネットワーク２０４中のネットワークエンティティとして実装され得る。
【００３１】
図３は、アクセス端末のために動作している登録サーバへのタイマーベースの登録を可能にする例を示す流れ図である。登録サーバは、説明のためにＭ２Ｍサーバ２２０として示されている。初めに、アクセス端末１０４は、３０２において、Ｍ２Ｍサーバ２２０がアクセス端末１０４のためにタイマーベースの登録を実行することを可能にするために、Ｍ２Ｍサーバ２２０と通信し得る。いくつかの事例では、通信３０２は、アクセス端末１０４のために登録を実行するようにＭ２Ｍサーバ２２０に依頼する、アクセス端末１０４からＭ２Ｍサーバ２２０に送られる要求を含み得る。他の事例では、Ｍ２Ｍサーバ２２０は、アクセス端末１０４のためにタイマーベースの登録を実行するようにとの要求をアクセス端末１０４に送り得る。
【００３２】
アクセス端末１０４のためにタイマーベースの登録を行うために、Ｍ２Ｍサーバ２２０は、そのような登録に関係するアクセス端末１０４に関する情報を使用し得る。したがって、Ｍ２Ｍサーバ２２０は、アクセス端末ＩＤ（たとえば、ＩＭＳＩ、ＴＭＳＩ）、アクセス端末１０４が固定であるかどうか、アクセス端末１０４との予想されるデータ交換の頻度など、アクセス端末１０４に関するそのような関連情報を取得し得る。いくつかの事例では、Ｍ２Ｍサーバ２２０はまた、アクセス端末１０４とのキープアライブ機構を有し得る。アクセス端末１０４がＭ２Ｍサーバにタイマーベースの登録を実行するための要求を送る例では、要求は、Ｍ２Ｍサーバ２２０がアクセス端末１０４のために登録を行うことを可能にするためにアクセス端末１０４に関連する登録情報を含み得る。Ｍ２Ｍサーバ２２０が、アクセス端末１０４のためにタイマーベースの登録を実行するようにとの要求をアクセス端末に送る例では、要求は、アクセス端末１０４に関連する関連登録情報についての要求を含み得る。アクセス端末１０４がＭ２Ｍサーバ２２０からの要求を受け付けた場合、アクセス端末１０４は、Ｍ２Ｍサーバ２２０がアクセス端末１０４のために登録を実行することを可能にするためにアクセス端末１０４に関連する登録情報を送ることができる。
【００３３】
さらに他の例では、Ｍ２Ｍサーバ２２０は、ネットワークから関連登録情報の一部または全部を取得し得る。すなわち、本開示の少なくとも１つの特徴によれば、Ｍ２Ｍサーバ２２０は、ネットワークから、アクセス端末ＩＤなど、関連登録情報の少なくとも一部を取得し得る。たとえば、Ｍ２Ｍサーバ２２０は、アクセス端末１０４とＭ２Ｍサーバ２２０との間で関連登録情報がほとんどまたはまったく送信されないように、ＭＳＣ／ＶＬＲ２０８から関連登録情報の少なくとも一部を取得し得る。Ｍ２Ｍサーバ２２０は、ネットワーク事業者によって制御され得るネットワークエンティティとして実装され得るので、Ｍ２Ｍサーバ２２０は、通信リンクを介して関連登録情報を転送する必要なしに、そのような関連登録情報をすでに有するかまたは関連登録情報へのアクセスを有することがある。これは、承認されていないエンティティによるアクセス端末ＩＤなどの機密情報の窃盗というより大きい危険を被り得る通信リンクを介してそのような情報を与えることに伴う危険を低減することによって、セキュリティの改善を図ることができる。
【００３４】
Ｍ２Ｍサーバ２２０は、それがタイマーベースの登録を実行しているアクセス端末のリストを保持し得る。したがって、Ｍ２Ｍサーバ２２０は、３０４において、それの登録リストにアクセス端末１０４を追加し得る。アクセス端末１０４およびＭ２Ｍサーバ２２０は、Ｍ２Ｍサーバ２２０がアクセス端末１０４のために登録を実行することを可能にすることに同意した後に、アクセス端末１０４は、３０６において、パワーダウン（たとえば、アイドリング、スリープ）し得、ネットワークエンティティ（たとえば、ＭＳＣ／ＶＬＲ２０８）へのそれの登録をリフレッシュするために将来のタイマーベースの登録期間を無視し得る。
【００３５】
Ｍ２Ｍサーバ２２０は、その後、アクセス端末１０４のために周期的なタイマーベースの登録３０８を実行するためにＭＳＣ／ＶＬＲ２０８と通信する。一般に、ネットワークのＭＳＣ／ＶＬＲ２０８がアクセス端末１０４の登録を管理する。したがって、Ｍ２Ｍサーバ２２０は、アクセス端末１０４のためにタイマーベースの登録を実行するためにＭＳＣ／ＶＬＲ２０８と直接通信し得る。Ｍ２Ｍサーバ２２０によって行われたタイマーベースの登録に応答して、ＭＳＣ／ＶＬＲ２０８は、３１０において、アクセス端末１０４を登録することができる。
【００３６】
本明細書で説明するタイマーベースの登録のための様々な特徴は１つまたは複数のデバイスによって実装され得、それらの１つまたは複数のデバイスは、概して１つまたは複数の処理システムを用いて実装され得る。図４は、少なくとも１つの例による処理システム４００の選択構成要素を示すブロック図である。処理システム４００は、概して、通信インターフェース４０４と記憶媒体４０６とに結合された処理回路４０２を含み得る。少なくともいくつかの例では、処理回路４０２は、バス４０８によって概略的に表されるバスアーキテクチャを用いて通信インターフェース４０４と記憶媒体４０６とに結合され得る。バス４０８はまた、タイミングソース、周辺機器、電圧調整器、および電力管理回路など、様々な他の回路をリンクし得るが、これらの回路は当技術分野においてよく知られており、したがって、これ以上説明しない。
【００３７】
処理回路４０２は、データを取得し、処理しおよび／または送り、データアクセスおよび記憶を制御し、コマンドを発行し、他の所望の動作を制御するように構成される。処理回路４０２は、少なくとも１つの実施形態では、適切な媒体によって与えられた所望のプログラミングを実装するように構成された回路を含み得る。たとえば、処理回路４０２は、１つまたは複数のプロセッサ、１つまたは複数のコントローラ、および／または実行可能プログラミングを実行するように構成された他の構造として実装され得る。処理回路４０２の例としては、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理構成要素、個別ゲートまたはトランジスタ論理、個別ハードウェア構成要素、あるいは本明細書で説明する機能を実行するように設計されたそれらの任意の組合せがあり得る。汎用プロセッサは、マイクロプロセッサ、ならびに任意の従来のプロセッサ、コントローラ、マイクロコントローラ、または状態機械を含み得る。処理回路４０２はまた、ＤＳＰとマイクロプロセッサとの組合せ、いくつかのマイクロプロセッサ、ＤＳＰコアと連携する１つまたは複数のマイクロプロセッサ、ＡＳＩＣとマイクロプロセッサ、あるいは任意の他の数の様々な構成など、コンピューティング構成要素の組合せとして実装され得る。処理回路４０２のこれらの例は説明のためであり、本開示の範囲内の他の好適な構成も企図される。
【００３８】
処理回路４０２は、記憶媒体４０６上に記憶され得るプログラミングの実行を含む処理のために適応される。本明細書で使用する「プログラミング」という用語は、限定はしないが、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを含むものと広く解釈されたい。
【００３９】
通信インターフェース４０４は、処理システム４００のワイヤードおよび／またはワイヤレス通信を可能にするように構成される。たとえば、通信インターフェース４０４は、１つまたは複数の他の処理システムに関して双方向に情報の通信を可能にするように適用された回路および／またはプログラミングを含み得る。通信インターフェース４０４がワイヤレス通信を可能にするように構成された事例では、通信インターフェース４０４は、１つまたは複数のアンテナ（図示せず）に結合され得、少なくとも１つの受信機回路４１０（たとえば、１つまたは複数の受信機チェーン）および／または少なくとも１つの送信機回路４１２（たとえば、１つまたは複数の送信機チェーン）を含むワイヤレストランシーバ回路を含み得る。通信インターフェース４０４はまた、ネットワークインターフェースカード（ＮＩＣ）として、シリアル接続またはパラレル接続、ユニバーサルシリアルバス（ＵＳＢ）インターフェース、ファイアワイヤインターフェース、サンダーボルトインターフェース、あるいは公衆および／またはプライベートワイヤードネットワークに対して通信するための任意の他の好適な構成、ならびにそれらの何らかの組合せを含み得る。
【００４０】
記憶媒体４０６は、プロセッサ実行可能コードまたは命令（たとえば、ソフトウェア、ファームウェア）、電子データ、データベース、または他のデジタル情報など、プログラミングおよび／またはデータを記憶するための１つまたは複数のデバイスを表し得る。記憶媒体４０６はまた、プログラミングを実行するときに、処理回路４０２によって操作されるデータを記憶するために使用され得る。記憶媒体４０６は、汎用または専用プロセッサによってアクセスされ得る任意の利用可能な媒体であり得る。限定ではなく例として、記憶媒体４０６は、磁気ストレージデバイス（たとえば、ハードディスク、フロッピー（登録商標）ディスク、磁気ストリップ）、光記憶媒体（たとえば、コンパクトディスク（ＣＤ）、デジタル多用途ディスク（ＤＶＤ））、スマートカード、フラッシュメモリデバイス（たとえば、カード、スティック、キードライブ）、ランダムアクセスメモリ（ＲＡＭ）、読取り専用メモリ（ＲＯＭ）、プログラマブルＲＯＭ（ＰＲＯＭ）、消去可能ＰＲＯＭ（ＥＰＲＯＭ）、電気的消去可能ＰＲＯＭ（ＥＥＰＲＯＭ（登録商標））、レジスタ、リムーバブルディスク、および／または情報を記憶するための他の非一時的コンピュータ可読媒体などの非一時的コンピュータ可読媒体、ならびにそれらの任意の組合せを含み得る。
【００４１】
記憶媒体４０６は、処理回路４０２が記憶媒体４０６から情報を読み取り、記憶媒体４０６に情報を書き込むことができるように処理回路４０２に結合され得る。すなわち、記憶媒体４０６が処理回路４０２と一体である例、および／または記憶媒体４０６が処理回路４０２とは別個である（たとえば、処理システム４００中に常駐する、処理システム４００の外部にある、複数のエンティティにわたって分散される）例を含めて、記憶媒体４０６が処理回路４０２によって少なくともアクセス可能であるように、記憶媒体４０６は処理回路４０２に結合され得る。
【００４２】
記憶媒体４０６によって記憶されたプログラミングは、処理回路４０２によって実行されたとき、本明細書で説明する様々な機能および／またはプロセスステップのうちの１つまたは複数を処理回路４０２に実行させる。したがって、処理回路４０２の１つまたは複数の特徴に関するプログラミングへの本開示全体にわたるいかなる言及も、記憶媒体４０６によって記憶されたプログラミングまたは動作を含むことができる。したがって、本開示の１つまたは複数の態様によれば、処理回路４０２は、本明細書で説明する様々なデバイス（たとえば、アクセス端末１０４、Ｍ２Ｍサーバ２２０、ＭＳＣ／ＶＬＲ２０８など）のいずれかまたはすべてのためのプロセス、機能、ステップおよび／またはルーチンのいずれかまたはすべてを実行するように適応され得る。本明細書で使用する、処理回路４０２に関する「適応される」という用語は、処理回路４０２が、本明細書で説明する様々な特徴に従って特定のプロセス、機能、ステップおよび／またはルーチンを実行するように構成、採用、実装、またはプログラムされることのうちの１つまたは複数を指すことがある。
【００４３】
図５は、少なくとも１つの例による、アクセス端末５００として実装された処理システムの選択構成要素を示すブロック図である。アクセス端末５００は、通信インターフェース４０４と記憶媒体４０６とに結合された処理回路４０２を含む。この例では、処理回路４０２は、本明細書で説明するアクセス端末１０４のうちの１つまたは複数に関係するプロセス、機能、ステップおよび／またはルーチンのいずれかまたはすべてを実行するように適応される。したがって、記憶媒体４０６は、登録サーバ（たとえば、Ｍ２Ｍサーバ２２０）がアクセス端末５００のために登録を実行することを可能にするために、登録サーバ動作によるタイマーベースの登録５０２を含み得る。登録サーバ動作によるタイマーベースの登録５０２は、登録サーバと通信することと、登録サーバがそのような登録を実行している限り、アクセス端末５００が登録するのを停止することと、イベントデータが送信または受信のために利用可能になるまでアクセス端末をパワーダウンすることとを行うために処理回路４０２によって実行可能なプログラミングを含み得る。
【００４４】
図６は、少なくとも１つの例による、アクセス端末５００などのアクセス端末上で動作可能な方法を示す流れ図である。図５および図６を参照すると、アクセス端末５００は、ステップ６０２において、登録サーバが、アクセス端末５００に関連する識別情報（ＩＤ）を使用してアクセス端末５００のためにタイマーベースの登録を実行することを可能にするために、登録サーバと通信し得る。たとえば、登録サーバ動作によるタイマーベースの登録５０２を実行している処理回路４０２は、通信インターフェース４０４を介してＭ２Ｍサーバ２２０などの登録サーバと通信し得る。
【００４５】
少なくとも１つの例では、処理回路４０２は、通信インターフェース４０４を介して登録サーバに送信を送り得る。送られた送信は、アクセス端末５００のためにタイマーベースの登録を実行するようにとの要求を含み得る。少なくともいくつかの事例では、処理回路４０２はアクセス端末ＩＤをも送り得、そのＩＤは記憶媒体４０６上に記憶されていることがある。ただし、１つまたは複数の他の例では、処理回路４０２は、アクセス端末ＩＤ（たとえば、ＩＭＳＩ、ＴＭＳＩ）などの登録情報を送ることなしに登録サーバと通信し得る。
【００４６】
１つまたは複数の他の例では、処理回路４０２は、通信インターフェース４０４を介して登録サーバからの送信を受信し得る。そのような受信された送信は、登録サーバがアクセス端末５００のためにタイマーベースの登録を実行することを可能にするようにとのアクセス端末５００への要求を含み得る。そのような要求に応答して、処理回路４０２は、要求を承認するための送信を生成し、通信インターフェース４０４を介して登録サーバに送り得る。少なくともいくつかの事例では、処理回路４０２は、応答する送信においてアクセス端末ＩＤを送り得る。ただし、１つまたは複数の他の例では、処理回路は、アクセス端末ＩＤなどの登録情報を送ることなしにこれらの通信を行い得る。
【００４７】
ステップ６０４において、アクセス端末５００は、登録サーバがアクセス端末５００のためにタイマーベースの登録を実行している間、ネットワークへのタイマーベースの登録を行うのを中止し得る。たとえば、登録サーバ動作によるタイマーベースの登録５０２を実行している処理回路４０２は、登録サーバがアクセス端末５００のためにそのようなタイマーベースの登録を実行し続ける限り、ネットワークへのタイマーベースの登録を行うのを停止し得る。いくつかの事例では、処理回路４０２は、登録サーバがアクセス端末５００のためにタイマーベースの登録を実行し続けることを保証するために、周期的間隔で登録サーバと通信し得る。
【００４８】
ステップ６０６において、イベントデータが送信および／または受信のために利用可能になるまで、すなわち、タイマーベースの登録データ以外のデータがアクセス端末５００から送られるかアクセス端末５００によって受信される準備ができるまで、アクセス端末５００はパワーダウンしてバッテリー電力を保持し得る。たとえば、処理回路４０２は、イベントデータが送信および／または受信のために利用可能になるまで、アクセス端末５００の全部または一部分（たとえば、通信インターフェース４０４の一部分）をパワーダウンし得る。少なくともいくつかの例では、処理回路４０２は、タイマーベースの登録を実行するのを控えながら、電力を節約するために従来のアイドルモードまたはスリープモードに入り得る。
【００４９】
図７を参照すると、少なくとも１つの例による、Ｍ２Ｍサーバなどの登録サーバ７００として実装された処理システムの選択構成要素を示すブロック図が示されている。登録サーバ７００は、通信インターフェース４０４と記憶媒体４０６とに結合された処理回路４０２を含む。この例では、処理回路４０２は、本明細書で説明する登録サーバ（たとえば、Ｍ２Ｍサーバ２２０）のうちの１つまたは複数に関係するプロセス、機能、ステップおよび／またはルーチンのいずれかまたはすべてを実行するように適応される。したがって、記憶媒体４０６は、アクセス端末５００など、１つまたは複数のアクセス端末のために登録を実行するためのアクセス端末のタイマーベースの登録動作７０２を含み得る。そのような動作は、登録サーバ７００がアクセス端末のために登録を実行することを可能にするためにアクセス端末と通信することと、アクセス端末に関連する識別情報（ＩＤ）を取得することと、アクセス端末のためにタイマーベースの登録を完了するためにネットワークエンティティと周期的に通信することとを処理回路４０２に行わせ得る。
【００５０】
図８は、登録サーバ７００などの登録サーバ上で動作可能な方法を示す流れ図である。図７および図８を参照すると、登録サーバ７００は、ステップ８０２において、登録サーバ７００がアクセス端末のためにタイマーベースの登録を実行することを可能にするために、アクセス端末と通信し得る。たとえば、アクセス端末のタイマーベースの登録動作７０２を実行している処理回路４０２は、通信インターフェース４０４を介してアクセス端末と通信し得る。少なくとも１つの例では、そのような通信は、登録サーバ７００がアクセス端末のためにタイマーベースの登録を実行することを要求する送信を、処理回路４０２がアクセス端末から通信インターフェース４０４を介して受信することを含み得る。そのような送信を受信したことに応答して、処理回路４０２は、登録サーバ７００が、ネットワークによって識別される各タイマーベースの登録期間中にタイマーベースの登録を実行することになるデバイスとしてアクセス端末を指示するタイマーベースの登録リストにアクセス端末を追加し得る。
【００５１】
１つまたは複数の他の例では、ステップ８０２の通信は、登録サーバがアクセス端末のためにタイマーベースの登録を実行することを可能にすることをアクセス端末に要求する送信を、処理回路４０２が通信インターフェース４０４を介してアクセス端末に送ることを含み得る。そのような送信を送ったことに応答して、処理回路４０２は、そのような要求を許可する応答をアクセス端末から通信インターフェース４０４を介して受信し得る。応答を受信すると、処理回路４０２は、登録サーバ７００が、ネットワークによって識別される各タイマーベースの登録期間中にタイマーベースの登録を実行することになるデバイスとしてアクセス端末を指示するタイマーベースの登録リストにアクセス端末を追加し得る。
【００５２】
ステップ８０４において、登録サーバ７００は、アクセス端末に関連する識別情報（ＩＤ）を取得することができる。たとえば、アクセス端末のタイマーベースの登録動作７０２を実行している処理回路４０２はアクセス端末ＩＤ（たとえば、ＩＭＳＩ、ＴＭＳＩ）を取得し得る。いくつかの事例では、処理回路４０２は、たとえば、ステップ８０２における通信の一部としてアクセス端末自体からＩＤを取得し得る。他の事例では、処理回路４０２は、アクセス端末ＩＤが登録サーバ７００とアクセス端末との間の通信リンクを介して通信されないように、ＭＳＣ／ＶＬＲのようなネットワークエンティティからなど、ネットワークからアクセス端末ＩＤを取得し得る。さらに、アクセス端末のタイマーベースの登録動作７０２を実行している処理回路４０２は、アクセス端末が固定であるかどうか、アクセス端末との予想されるデータ交換の頻度など、他の情報を取得し得る。そのような情報は、アクセス端末ＩＤに加えて、またはそれとは別個に取得され得る。取得されたアクセス端末ＩＤは、処理回路４０２によって記憶媒体４０６に記憶され得る。
【００５３】
ステップ８０６において、登録サーバ７００は、アクセス端末に関連するＩＤを使用してアクセス端末のためにタイマーベースの登録を行うためにネットワークエンティティと周期的に通信し得る。たとえば、アクセス端末のタイマーベースの登録動作７０２を実行している処理回路４０２は、アクセス端末のためにタイマーベースの登録を行うためにネットワークエンティティ（たとえば、ＭＳＣ／ＶＬＲ）と通信インターフェース４０４を介して通信することができる。このようにして、タイマーベースの登録は、各登録においてアクセス端末によるアクティブな参加なしに行われ得る。そのような通信は、処理回路４０２が、アクセス端末のために通信インターフェース４０４を介してネットワークエンティティにタイマーベースの登録メッセージを送信することを含み得る。
【００５４】
図９は、少なくとも１つの例による、ＭＳＣ／ＶＬＲなどのネットワークエンティティ９００として実装された処理システムの選択構成要素を示すブロック図である。ネットワークエンティティ９００は、通信インターフェース４０４と記憶媒体４０６とに結合された処理回路４０２を含む。この例では、処理回路４０２は、登録サーバ以外の本明細書で説明するネットワークエンティティ（たとえば、ＭＳＣ／ＶＬＲ２０８）のうちの１つまたは複数に関係するプロセス、機能、ステップおよび／またはルーチンのいずれかまたはすべてを実行するように適応される。言い換えれば、ネットワークエンティティ９００は、本明細書で説明する登録サーバとは異なるネットワークエンティティを表し得る。したがって、記憶媒体４０６は、アクセス端末からではなく、Ｍ２Ｍサーバなどの登録サーバから受信された登録情報に基づいてアクセス端末を登録するためのタイマーベースの登録動作９０２を含み得る。そのような動作は、登録サーバからタイマーベースの登録情報を受信することを処理回路４０２に行わせ得、そのタイマーベースの登録情報は、アクセス端末を登録するために適応される。タイマーベースの登録動作９０２はさらに、登録サーバから受信された登録情報に基づいてアクセス端末を登録することを処理回路４０２に行わせ得る。
【００５５】
図１０は、ネットワークエンティティ９００などのネットワークエンティティ上で動作可能な方法の少なくとも１つの例を示す流れ図である。図９および図１０を参照すると、ネットワークエンティティ９００は、ステップ１００２において、登録サーバからタイマーベースの登録メッセージを受信し得、タイマーベースの登録メッセージは、アクセス端末を登録するために適応されている。たとえば、タイマーベースの登録動作９０２を実行している処理回路４０２は、登録サーバによって送られたタイマーベースの登録メッセージを通信インターフェース４０４を介して受信し得る。少なくともいくつかの例では、登録サーバがネットワークエンティティ自体であり得、タイマーベースの登録メッセージは、したがって、別のネットワークエンティティから受信され得る。タイマーベースの登録メッセージは、アクセス端末に関連する識別情報（ＩＤ）（たとえば、ＩＭＳＩ、ＴＭＳＩ）を含み得る。いくつかの事例では、このＩＤは、ネットワークエンティティ９００から登録サーバにあらかじめ与えられていることがある。
【００５６】
ステップ１００４において、ネットワークエンティティ９００は、登録サーバから受信されたタイマーベースの登録メッセージに基づいてアクセス端末を登録する。たとえば、タイマーベースの登録動作９０２を実行している処理回路４０２は、登録サーバからのタイマーベースの登録メッセージに応答してアクセス端末を登録し得る。そのような登録は、ネットワークがそれと通信することができるアクティブアクセス端末のリスト上にアクセス端末を追加または保持することを含み得る。たとえば、そのようなリストは、アクセス端末と、ページングメッセージがそこに送られ得るアクセス端末のロケーションとを識別し得る。
【００５７】
上記の特徴のうちの１つまたは複数によれば、固定または実質的に固定であるアクセス端末は、登録サーバによってアクセス端末のためにタイマーベースの登録が行われると、電力を節約することができる。
【００５８】
図１、図２、図３、図４、図５、図６、図７、図８、図９および／または図１０に示した構成要素、ステップ、特徴および／または機能のうちの１つまたは複数は、単一の構成要素、ステップ、特徴または機能に再構成されおよび／または組み合わせられるか、あるいはいくつかの構成要素、ステップ、または機能で実施され得る。また、本発明から逸脱することなく、追加の要素、構成要素、ステップ、および／または機能が追加され得る。図１、図２、図４、図５、図７および／または図９に示した装置、デバイスおよび／または構成要素は、図３、図６、図８および／または図１０において説明した方法、特徴、またはステップのうちの１つまたは複数を実行するように構成され得る。本明細書で説明した新規のアルゴリズムはまた、効率的にソフトウェアで実装されおよび／またはハードウェアに組み込まれ得る。
【００５９】
また、少なくともいくつかの実装形態について、フローチャート、流れ図、構造図、またはブロック図として示されたプロセスとして説明したことに留意されたい。フローチャートは動作を逐次プロセスとして説明することがあるが、動作の多くは並列または同時に実行され得る。さらに、動作の順序は並び替えられ得る。プロセスは、その動作が完了すると終了する。プロセスは、メソッド、関数、プロシージャ、サブルーチン、サブプログラムなどに対応し得る。プロセスが関数に対応する場合、その終了は呼出し関数またはメイン関数への関数の復帰に対応する。
【００６０】
さらに、本明細書で開示する実施形態に関連して説明した様々な例示的な論理ブロック、モジュール、回路、およびアルゴリズムステップは、ハードウェア、ソフトウェア、ファームウェア、ミドルウェア、マイクロコード、またはそれらの任意の組合せとして実装され得ることを、当業者は諒解されよう。この互換性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課された設計制約に依存する。
【００６１】
「機械可読媒体」、「コンピュータ可読媒体」、および／または「プロセッサ可読媒体」という用語は、限定はしないが、ポータブルまたは固定記憶デバイス、光記憶デバイス、ならびに（１つまたは複数の）命令および／またはデータを記憶、含有または担持することが可能な様々な他の非一時的媒体を含み得る。したがって、本明細書で説明した様々な方法は、「機械可読媒体」、「コンピュータ可読媒体」、および／または「プロセッサ可読媒体」に記憶され、１つまたは複数のプロセッサ、機械および／またはデバイスによって実行され得る命令および／またはデータによって部分的にまたは完全に実装され得る。
【００６２】
本明細書で説明し、添付の図面に示した例に関連する様々な特徴は、本開示の範囲から逸脱することなく、異なる例および実装形態において実装され得る。したがって、ある特定の構成および配置について説明し、添付の図面に示したが、説明した実施形態への様々な他の追加、変更、および削除は当業者には明らかであるので、そのような実施形態は例示的にすぎず、本開示の範囲を限定するものではない。したがって、本開示の範囲は、以下の特許請求の範囲の文字通りの文言、および法的均等物によってのみ決定される。
以下に、本願出願の当初の特許請求の範囲に記載された発明を付記する。
［１］アクセス端末であって、
通信インターフェースと、
記憶媒体と、
前記通信インターフェースと前記記憶媒体とに結合された処理回路であって、前記処理回路は、
登録サーバが、前記アクセス端末に関連する識別情報（ＩＤ）を使用して前記アクセス端末のためにタイマーベースの登録を実行することを可能にするために、前記通信インターフェースを介して前記登録サーバと通信することと、
前記登録サーバが前記アクセス端末のためにタイマーベースの登録を実行する間、前記タイマーベースの登録を実行するのを停止することと、
イベントデータが送信または受信のために利用可能になるまでパワーダウンすることと
を行うように適応された、処理回路と
を備える、アクセス端末。
［２］前記記憶媒体が、前記アクセス端末に関連する前記識別情報（ＩＤ）を含む、［１］に記載のアクセス端末。
［３］前記処理回路が、前記アクセス端末のために前記タイマーベースの登録を実行することを前記登録サーバに要求する送信を前記登録サーバに送るようにさらに適応された、［１］に記載のアクセス端末。
［４］前記処理回路が、前記登録サーバが前記アクセス端末のために前記タイマーベースの登録を実行することを可能にすることを前記アクセス端末に要求する送信を前記登録サーバから受信するようにさらに適応された、［１］に記載のアクセス端末。
［５］前記処理回路が、前記通信インターフェースを介して前記登録サーバに、前記アクセス端末に関連する前記識別情報（ＩＤ）を送るようにさらに適応された、［１］に記載のアクセス端末。
［６］前記アクセス端末に関連する前記識別情報（ＩＤ）が、前記アクセス端末においてプロビジョニングされる国際モバイル加入者識別情報（ＩＭＳＩ）または前記アクセス端末のための一時的モバイル加入者識別情報（ＴＭＳＩ）を備える、［１］に記載のアクセス端末。
［７］アクセス端末上で動作可能な方法であって、
登録サーバが、前記アクセス端末に関連する識別情報（ＩＤ）を使用して前記アクセス端末のためにタイマーベースの登録を実行することを可能にするために、前記登録サーバと通信することと、
前記登録サーバが前記アクセス端末のためにタイマーベースの登録を実行している間、前記タイマーベースの登録を行うのを中止することと、
イベントデータが送信または受信のために利用可能になるまでパワーダウンすることと
を備える方法。
［８］前記登録サーバと通信することが、
前記アクセス端末のために前記タイマーベースの登録を実行することを前記登録サーバに要求する送信を前記登録サーバに送ること
を備える、［７］に記載の方法。
［９］前記登録サーバと通信することは、
前記登録サーバが前記アクセス端末のために前記タイマーベースの登録を実行することを可能にすることを前記アクセス端末に要求する送信を前記登録サーバから受信すること
を備える、［７］に記載の方法。
［１０］前記登録サーバと通信することが、
前記アクセス端末に関連する前記識別情報（ＩＤ）を前記登録サーバに送ること
を備える、［７］に記載の方法。
［１１］前記登録サーバと通信することが、
前記アクセス端末に関連する前記識別情報（ＩＤ）を前記登録サーバに送ることなしに前記登録サーバと通信すること
を備える、［７］に記載の方法。
［１２］前記登録サーバと通信することが、ネットワークエンティティとして実装された登録サーバと通信することを備える、［７］に記載の方法。
［１３］前記登録サーバが、前記アクセス端末に関連する前記識別情報（ＩＤ）を使用して前記アクセス端末のために前記タイマーベースの登録を実行することを可能にするために、前記登録サーバと通信することは、
前記登録サーバが、前記アクセス端末に関連する国際モバイル加入者識別情報（ＩＭＳＩ）または一時的モバイル加入者識別情報（ＴＭＳＩ）を使用して前記アクセス端末のために前記タイマーベースの登録を実行することを可能にするために、前記登録サーバと通信すること
を備える、［７］に記載の方法。
［１４］アクセス端末であって、
登録サーバが、前記アクセス端末に関連する識別情報（ＩＤ）を使用して前記アクセス端末のためにタイマーベースの登録を実行することを可能にするために、前記登録サーバと通信するための手段と、
前記登録サーバが前記アクセス端末のために前記タイマーベースの登録を実行している間、前記タイマーベースの登録を行うのを中止するための手段と、
イベントデータが送信または受信のために利用可能になるまでパワーダウンするための手段と
を備えるアクセス端末。
［１５］アクセス端末上で動作可能なプログラミングを備えるプロセッサ可読媒体であって、前記プログラミングは、
登録サーバが、前記アクセス端末に関連する識別情報（ＩＤ）を使用して前記アクセス端末のためにタイマーベースの登録を実行することを可能にするために、前記登録サーバと通信することと、
前記登録サーバが前記アクセス端末のために前記タイマーベースの登録を実行している間、前記タイマーベースの登録を行うのを中止することと、
イベントデータが送信または受信のために利用可能になるまでパワーダウンすることと
を行う、プロセッサ可読媒体。
［１６］通信インターフェースと、
記憶媒体と、
前記通信インターフェースと前記記憶媒体とに結合された処理回路であって、前記処理回路は、
前記登録サーバがアクセス端末のためにタイマーベースの登録を実行することを可能にするために、前記通信インターフェースを介して前記アクセス端末と通信することと、
前記アクセス端末に関連する識別情報（ＩＤ）を使用して前記アクセス端末のために前記タイマーベースの登録を行うためにネットワークエンティティと周期的に通信することと
を行うように適応された、処理回路と
を備える、登録サーバ。
［１７］前記通信インターフェースが、直接通信リンクを通して前記ネットワークエンティティと通信するように適応された、［１６］に記載の登録サーバ。
［１８］前記通信インターフェースが、ワイヤード通信リンクを通して前記ネットワークエンティティと通信するように適応された、［１６］に記載の登録サーバ。
［１９］前記処理回路が、
前記アクセス端末に関連する前記ＩＤを前記ネットワークエンティティから取得することと、
前記アクセス端末に関連する前記ＩＤを前記記憶媒体に記憶することと
を行うようにさらに適応された、［１６］に記載の登録サーバ。
［２０］前記処理回路は、前記アクセス端末に関連する前記ＩＤを前記アクセス端末から受信することなしに、前記登録サーバが前記アクセス端末のために前記タイマーベースの登録を実行することを可能にするために、前記アクセス端末と通信するように適応された、［１６］に記載の登録サーバ。
［２１］前記ネットワークエンティティを含むネットワーク中の別のエンティティとして実装された、［１６］に記載の登録サーバ。
［２２］登録サーバ上で動作可能な方法であって、
前記登録サーバがアクセス端末のためにタイマーベースの登録を実行することを可能にするために、前記アクセス端末と通信することと、
前記アクセス端末に関連する識別情報（ＩＤ）を使用して前記アクセス端末のために前記タイマーベースの登録を行うためにネットワークエンティティと周期的に通信することと
を備える方法。
［２３］前記アクセス端末と通信することが、
前記アクセス端末のために前記タイマーベースの登録を実行することを前記登録サーバに要求する送信を前記アクセス端末から受信すること
を備える、［２２］に記載の方法。
［２４］前記アクセス端末と通信することは、
前記登録サーバが前記アクセス端末のために前記タイマーベースの登録を実行することを可能にすることを前記アクセス端末に要求する送信を前記アクセス端末に送ること
を備える、［２２］に記載の方法。
［２５］前記登録サーバが前記アクセス端末のために前記タイマーベースの登録を実行することを可能にするために、前記アクセス端末と通信することが、
前記アクセス端末に関連する前記ＩＤを前記アクセス端末から受信することなしに前記アクセス端末と通信すること
を備える、［２２］に記載の方法。
［２６］前記アクセス端末に関連する前記ＩＤを前記ネットワークエンティティから取得すること
をさらに備える、［２２］に記載の方法。
［２７］前記アクセス端末のために前記タイマーベースの登録を行うためにネットワークエンティティと周期的に通信することが、
前記アクセス端末のために前記タイマーベースの登録を行うためにモバイル交換センターおよびビジターロケーションレジスタ（ＭＳＣ／ＶＬＲ）と周期的に通信すること
を備える、［２２］に記載の方法。
［２８］前記アクセス端末のために前記タイマーベースの登録を行うためにネットワークエンティティと周期的に通信することが、
前記アクセス端末のために前記ネットワークエンティティにタイマーベースの登録メッセージを周期的に送ること
を備える、［２２］に記載の方法。
［２９］登録サーバであって、
前記登録サーバがアクセス端末のためにタイマーベースの登録を実行することを可能にするために、前記アクセス端末と通信するための手段と、
前記アクセス端末に関連する識別情報（ＩＤ）を使用して前記アクセス端末のために前記タイマーベースの登録を行うためにネットワークエンティティと周期的に通信するための手段と
を備える登録サーバ。
［３０］前記アクセス端末に関連する前記ＩＤを前記ネットワークエンティティから取得するための手段
をさらに備える、［２９］に記載の登録サーバ。
［３１］アクセス端末上で動作可能なプログラミングを備えるプロセッサ可読媒体であって、前記プログラミングは、
前記登録サーバがアクセス端末のためにタイマーベースの登録を実行することを可能にするために、前記アクセス端末と通信することと、
前記アクセス端末に関連する識別情報（ＩＤ）を使用して前記アクセス端末のために前記タイマーベースの登録を行うためにネットワークエンティティと周期的に通信することと
を行う、プロセッサ可読媒体。
［３２］通信インターフェースと、
記憶媒体と、
前記通信インターフェースと前記記憶媒体とに結合された処理回路であって、前記処理回路は、
登録サーバからタイマーベースの登録メッセージを受信することであって、前記タイマーベースの登録メッセージが、アクセス端末を登録するために適応された、受信することと、
前記登録サーバから受信された前記タイマーベースの登録メッセージに基づいて前記アクセス端末を登録することと
を行うように適応された、処理回路と
を備える、ネットワークエンティティ。
［３３］前記タイマーベースの登録メッセージが、別のネットワークエンティティとして実装された登録サーバから受信される、［３２］に記載のネットワークエンティティ。
［３４］前記処理回路が、
前記アクセス端末に関連する識別情報（ＩＤ）を前記登録サーバに与えるようにさらに適応された、［３２］に記載のネットワークエンティティ。
［３５］登録サーバからタイマーベースの登録メッセージを受信することであって、前記タイマーベースの登録メッセージが、アクセス端末を登録するために適応された、受信することと、
前記登録サーバから受信された前記タイマーベースの登録メッセージに基づいて前記アクセス端末を登録することと
を備える、ネットワークエンティティ上で動作可能な方法。
［３６］前記登録サーバから前記タイマーベースの登録メッセージを受信することが、
別のネットワークエンティティから前記タイマーベースの登録メッセージを受信すること
を備える、［３５］に記載の方法。
［３７］前記アクセス端末に関連する識別情報（ＩＤ）を前記登録サーバに与えること
をさらに備える、［３５］に記載の方法。
［３８］登録サーバからタイマーベースの登録メッセージを受信するための手段であって、前記タイマーベースの登録メッセージが、アクセス端末を登録するために適応された、受信するための手段と、
前記登録サーバから受信された前記タイマーベースの登録メッセージに基づいて前記アクセス端末を登録するための手段と
を備える、ネットワークエンティティ。
［３９］ネットワークエンティティ上で動作可能なプログラミングを備えるプロセッサ可読媒体であって、前記プログラミングは、
登録サーバからタイマーベースの登録メッセージを受信することであって、前記タイマーベースの登録メッセージが、アクセス端末を登録するために適応された、受信することと、
前記登録サーバから受信された前記タイマーベースの登録メッセージに基づいて前記アクセス端末を登録することと
を行う、プロセッサ可読媒体。
［４０］ワイヤレス通信のために構成された製造品であって、
登録サーバが、識別情報（ＩＤ）を使用して前記アクセス端末のためにタイマーベースの登録を実行することを可能にするために、前記登録サーバと通信するように構成されたプロセッサであって、
前記プロセッサは、前記登録サーバが前記アクセス端末のためにタイマーベースの登録を実行する間、前記タイマーベースの登録を実行するのを停止することと、イベントデータが送信または受信のために利用可能になるまでパワーダウンすることとを行うようにさらに構成された、プロセッサと、
データを収集および／または分析するように構成された前記プロセッサに結合されたセンサーまたはコントローラのうちの少なくとも１つと
を備える、製造品。
【図１】
0005902308.tif 000002
【図２】
0005902308.tif 000003
【図３】
0005902308.tif 000004
【図４】
0005902308.tif 000005
【図５】
0005902308.tif 000006
【図６】
0005902308.tif 000007
【図７】
0005902308.tif 000008
【図８】
0005902308.tif 000009
【図９】
0005902308.tif 000010
【図１０】
0005902308.tif 000011